(57)【要約】      （修正有）【課題】誰でも容易に使用者を特定することができるとともに、遊び心を兼ね備えたフォトフレーム付き密閉容器を提供する。【解決手段】湿式シートを封入した包装体を収納する容器本体２と、この容器本体２の外表面に穿設されている包装体から湿式シートを取り出す取出口４と、この取出口４を覆って容器本体２に開閉自在に設けられた蓋部材３とを有する。蓋部材３は、少なくとも１つ以上の開口部５ａが穿設された蓋体５と、この蓋体５の取出口４側に着脱自在に設けられて開口部５ａを覆う裏蓋６とを有し、蓋体５と裏蓋６との間にシート状の写真等を介装させることによって、開口部５ａから写真等を表示させる。【選択図】図１
0003160684.tif 000002
【実用新案登録請求の範囲】
【請求項１】
湿式シートを封入した包装体を収納する容器本体と、この容器本体の外表面に穿設されている当該包装体から湿式シートを取り出す取出口と、この取出口を覆って当該容器本体に開閉自在に設けられた蓋部材とを有する湿式シート用の収納容器において、
上記蓋部材は、少なくとも１つ以上の開口部が穿設された蓋体と、この蓋体の上記取出口側に着脱自在に設けられて上記開口部を覆う裏蓋とを有し、
上記蓋体と上記裏蓋との間にシート状の写真等を介装させることによって、上記開口部から当該写真等を表示させることを特徴とするフォトフレーム機能付き収納容器。
【請求項２】
上記蓋体と上記裏蓋との間には、上記写真等の表面を覆う透明シートが介装されていることを特徴とする請求項１に記載のフォトフレーム機能付き収納容器。
【請求項３】
上記蓋体は、外表面に装飾が施されるとともに、この装飾と共に一体の装飾を形成するように上記開口部が配設されていることを特徴とする請求項１または２に記載のフォトフレーム機能付き収納容器。
【考案の詳細な説明】
【技術分野】
【０００１】
本考案は、お尻拭きシートや湿式の清拭シートなどの包装体を収納して、上記シートの取り出しに利用するフォトフレーム機能付き収納容器に関するものである。
【背景技術】
【０００２】
従来から、乳幼児に使用される水分を含浸させたお尻拭きシートや、清涼感のある溶液を含浸させた清拭シートなどの湿式シートは、合成樹脂性フィルムからなる密閉された包装体に封入され販売されている。また、この包装体には、湿式シートを取り出す開口部が形成されているとともに、この開口部上に繰り返し着脱可能なオープンラベルが貼着され、上記湿式シートに含浸されている水分や揮発成分が蒸発しないように密閉されている。
【０００３】
この包装体に封入されている湿式シートは、上記オープンラベルを剥がし、上記開口部から一枚一枚取り出して、お尻や顔などに使用する。そして使用後は、上記オープンラベルを上記開口部上に被せ貼着して密閉する。
【０００４】
しかしながら、上記包装体は、使用する毎に封入されているシートが減り、内包されているシートにより保持されていた上記包装体の形態が崩れてしまう。これに伴って、上記包装体に貼着されている上記オープンラベルが歪み、剥がしづらくなるため、上記オープンラベルに無理な力が掛かり、破損の原因になってしまうという問題がある。また、貼着する際にも、形態の崩れた包装体の外表面に上手く貼れずに、隙間が出来てしまい、上記湿式シートから水分や揮発成分などが蒸発してしまうという問題もある。
【０００５】
また、上記オープンラベルの着脱を繰り返し行うことにより、上記オープンラベルに塗布されている粘着剤の粘性が弱まり、しっかりと貼着されずに、封入されている湿式シートの水分や揮発成分が蒸発して、上記湿式シートが乾燥してしまうという問題もある。
【０００６】
そこで、図８の従来例に示すように、容器本体２内に包装体ｔを収納するとともに、容器本体２の外表面に、包装体ｔに封入されている湿式シートｍを取り出す取出口４と、この取出口４を開閉自在に覆う蓋部材３を設けられた湿式シートの収納容器１が提案されている。
【０００７】
この湿式シートの収納容器１は、容器本体２の底部に着脱可能に設けられた底蓋８を外し、この底蓋８に包装体ｔの開口部が上方に位置するように配置する。次いで、容器本体２を被せ、底蓋８に取り付けて収納する。そして、容器本体２の蓋部材３を開き、取出口４から包装体ｔに封入されている湿式シートｍ取り出して使用する。使用後は、蓋部材３を閉じて、開閉部材９により蓋部材３をロックして密閉する。
【０００８】
この従来の湿式シートの収納容器１は、包装体ｔに封入されている湿式シートｍを使用することにより、シートによって保持されていた包装体ｔの形態が崩れたとしても、容器本体２が剛性のあるプラスチックにより成形されているため、この容器本体２に開閉自在に設けられている蓋部材３は、何の支障もなく繰り替えし開閉することができる。また、蓋部材３に設けられたヒンジ機構１０と、蓋部材３のロック機構を備えた開閉部材９とによって、蓋部材３の開閉を繰り返し行ったとしても、密閉性が損なわれることがない。
【考案の概要】
【考案が解決しようとする課題】
【０００９】
ところが、この従来の収納容器は、数多く市販されているため、人が多く集まる場所などで使用した場合には、他人のものと間違って使用してしまったり、どれが自分のものであるか判別できなくなってしまうという問題があった。
【００１０】
また、従来使用されていた収納容器は、保育所や幼稚園などでも頻繁に利用されている。この保育所や幼稚園の中には、皮膚に疾患を患っていたり、アレルギー体質の乳幼児や子供がいるため、上記湿式シートを使用することにより、シートに含浸されている溶液の成分によっては、皮膚に異常を来してしまったり、アレルギー症状が出ててしまう可能性がある。これにより、上記湿式シートを使用する際には、間違って使用しないように、細心の注意を払う必要がある。
【００１１】
そこで、使用者を特定するために、油性ペンなどで名前を書く方法も考えられるが、一度書いてしまったら消すことが困難であるため、保育所や幼稚園など使用者が頻繁に変わる可能性のある場所では、容器に直に書くことができない。また、人の多く集まる場所では、見栄えが悪く、使用する側にとっても面白みに掛けるものになってしまうという問題もある。
【００１２】
本考案は、かかる事情に鑑みてなされたもので、誰でも容易に使用者を特定することができるとともに、遊び心を兼ね備えたフォトフレーム付き密閉容器を提供することを課題とするものでる。
【課題を解決するための手段】
【００１３】
上記課題を解決するために、請求項１に記載の考案は、湿式シートを封入した包装体を収納する容器本体と、この容器本体の外表面に穿設されている当該包装体から湿式シートを取り出す取出口と、この取出口を覆って当該容器本体に開閉自在に設けられた蓋部材とを有する湿式シート用の収納容器において、上記蓋部材は、少なくとも１つ以上の開口部が穿設された蓋体と、この蓋体の上記取出口側に着脱自在に設けられて上記開口部を覆う裏蓋とを有し、上記蓋体と上記裏蓋との間にシート状の写真等を介装させることによって、上記開口部から当該写真等を表示させることを特徴とするものである。
【００１４】
また、請求項２に記載の考案は、請求項１に記載の考案において、上記蓋体と上記裏蓋との間には、上記写真等の表面を覆う透明シートが介装されていることを特徴とするものである。
【００１５】
そして、請求項３に記載の考案は、請求項１または２に記載の考案において、上記蓋体は、外表面に装飾が施されるとともに、この装飾と共に一体の装飾を形成するように上記開口部が配設されていることを特徴とするものである。
【考案の効果】
【００１６】
請求項１〜３に記載の本考案によれば、包装体を収納する容器本体に開閉自在に設けられた蓋部材は、少なくとも１つ以上の開口部が穿設された蓋体と、上記容器本体の取出口側に当該開口部を覆って当該蓋体に着脱自在に設けられた裏蓋とを備え、この蓋体と裏蓋との間にシート状の写真等を介装させて、上記開口部から当該写真等を表示するため、上記湿式シートを利用する乳幼児や子供を簡単に特定することができる。これにより、保育所や幼稚園など乳幼児や子供が多くいる場所で使用する際に、皮膚に疾患やアレルギーを患っている子供等がいた場合でも、上記開口部に表示する写真により使用者を特定して、間違って他の湿式シートを使用することによるトラブルを回避し、適切に使用することができる。
【００１７】
また、上記裏蓋を着脱することにより、簡単に写真を交換することができるため、使用者を特定するだけでなく、人の集まる場所などで使用する場合に、愛犬の写真や目印になる絵などを表示することにより、間違って他人のものを使うことによるトラブルや、自分のものを使われてしまう不愉快な思いを低減させることができるとともに、写真や絵などを表示することにより、他者とのコミュニケーションを図ることもできる。
【００１８】
請求項２に記載の考案によれば、上記蓋体と上記裏蓋との間に、上記写真等の表面を覆う透明シートを介装するため、上記蓋部材の開閉により付着する手垢や、室内などに浮遊する埃などから、上記写真を保護することができる。これにより、写真を長期間表示することができるとともに、大切な写真であっても使用することができる。
【００１９】
請求項３に記載の考案によれば、上記蓋体は、露出する側の外表面に装飾を施すとともに、この装飾と共に一体の装飾を形成するように上記開口部を配設するため、動物やキャラクターなどの図柄と共に写真等を表示することによって、親しみ易く乳幼児や子供の興味を駆り立てるともに、愛着が沸いて長く使用することができる。
【図面の簡単な説明】
【００２０】
【図１】本考案のフォトフレーム機能付き収納容器の一実施形態を示す分解斜視図である。
【図２】本考案のフォトフレーム機能付き収納容器の蓋体を示し、（ａ）は背面図、（ｂ）は平面図、（ｃ）は底面図、（ｄ）は（ｂ）のＡ−Ａ断面図である。
【図３】本考案のフォトフレーム機能付き収納容器の裏蓋を示し、（ａ）は背面図、（ｂ）は平面図、（ｃ）は底面図、（ｄ）は（ｂ）のＡ−Ａ断面図である。
【図４】本考案のフォトフレーム機能付き収納容器の蓋体の変形例を示す平面図である。
【図５】本考案のフォトフレーム機能付き収納容器の蓋部材の分解した状態を示す斜視図である。
【図６】本考案のフォトフレーム機能付き収納容器の蓋部材を閉じた状態を示す斜視図である。
【図７】本考案のフォトフレーム機能付き収納容器の蓋部材を開いた状態を示す斜視図である。
【図８】従来例を示し、（ａ）は収納容器の斜視図、（ｂ）は収納容器の正面断面図である。
【考案を実施するための形態】
【００２１】
図１〜図３および図５〜図７は、本考案のフォトフレーム機能付き収納容器の一実施形態を示し、図４は、本考案のフォトフレーム機能付き収納容器の蓋体の一実施形態の変形例を示すもので、収納容器の構成については、図８に示したものと同一であるために、同一符号を付して説明を簡略化する。
【００２２】
図１に示すように、本考案のフォトフレーム機能付き収納容器１は、湿式シートｍを封入した包装体ｔを収納する容器本体２と、この容器本体２の上面に形成されて包装体ｔから湿式シートｍを取り出す取出口４と、この取出口４を覆って容器本体２に開閉自在に設けるとともに、開口部５ａが穿設された蓋体５および裏蓋６を備えた蓋部材３と、この蓋部材３をロックする開閉部材９とにより概略構成されている。
【００２３】
ここで、容器本体２は、合成樹脂によって略長方体状に形成されるとともに、平面視において略楕円形状に形成されている。この容器本体２の底部には、容器本体２の周壁の下端部に着脱自在に嵌合する底蓋８が設けられている。この底蓋８は、容器本体２側の上面に、収納する包装体ｔの位置決め用の凹部８ａが形成されている。この凹部８ａは、平面視において略楕円形状の底蓋８の中心部に長方形をなして形成されるとともに、その四方の角部が底蓋８の円弧に近接して形成されている。
【００２４】
また、容器本体２の上部には、段付き凹部２ａ（図では、２段）が形成されている。この段付き凹部２ａは、平面視において長手方向の両端部が円弧状に形成された略長方形に形成されているとともに、短手方向の一端側から外方に突出し、平面視において長方形をなす凹部２ｃが、段付き凹部２ａの上段面と面一に形成されている。さらに、上記短手方向の他端側の中央部に開閉部材９を回動自在に取り付ける溝部２ｂが形成されている。また、段付き凹部２ａの下段面には、収納された包装体ｔに封入されている湿式シートｍを取り出すための取出口４が穿設されている。この取出口４は、平面視において略瓢箪形状に形成されている。
【００２５】
そして、段付き凹部２ａの下段面の取出口４を覆う蓋部材３が、容器本体２にヒンジ部１０を介して開閉自在に設けられている。この蓋部材３は、蓋体５と裏蓋６とによって構成されている。蓋体５は、図２に示すように、合成樹脂によって略平板状に形成され、周縁部にフランジ５ｂが環状に形成されている。また蓋体５は、平面視において長手方向の両端部が円弧状に形成された略長方形に形成されているとともに、中央部に開口部５ａが穿設されている。この開口部５ａは、蓋体５の長手方向に対して５／８の長さ寸法の直径と、短手方向に対して２／３の長さ寸法の直径とからなる楕円形状をなして形成されている。
【００２６】
さらに、蓋体５の短手方向の一端部には、その縁部から外方に突出するヒンジ部１０が一体的に形成されている。このヒンジ部１０は、中央部の短手方向の端部から外方に延在するバネ止着部材１０ａが、ヒンジ部１０に回動自在に設けられている。このバネ止着部材１０ａは、容器本体２に設けられたバネ部材１１を囲繞して、蓋部材３をバネ部材１１の付勢により開状態にする。
【００２７】
また、裏蓋６は、図３に示すように、合成樹脂によって略平板状に形成されるとともに、平面視において長手方向の両端部が円弧状に形成された略長方形に形成されている。また、裏蓋６は、一方の面の周端部に突状のフランジ６ａが環状に形成されているとともに、他方の面に容器本体２の段付き凹部２ａの下段部に嵌合される嵌合フランジ６ｂが環状に形成されている。
【００２８】
上記構成の蓋部材３を組み立てるには、蓋体５のフランジ５ｂ側に、裏蓋６のフランジ６ａを嵌合する。その際に、蓋体５と裏蓋６との間に、透明シート７を介装する。この透明シート７は、合成樹脂製のフィルムによって形成する。次に、蓋部材３を容器本体２に開閉自在に取り付けるには、蓋体５のヒンジ部１０を容器本体２の段付き凹部２ａの上段面と面一に形成された凹部２ｃに嵌合する。その際に、ヒンジ部１０に回動自在に設けられたバネ止着部材１０ａを、容器本体２の凹部２ｃに設けられたバネ部材１１に囲繞して止着する。
【００２９】
また、図４に示す本考案の一実施形態の変形では、蓋体５の外表面に、うさぎの装飾ｒが施されている。また、開口部５ａは、このうさぎの装飾ｒと共に一体の装飾として形成されている。
【００３０】
以上の構成による本実施形態のフォトフレーム機能付き収納容器１を用いて、この収納容器の使用者または所有者を特定するためには、まず、特定するために必要なシート状の写真等ｋを容易する。ちなみに、シート状の写真等ｋとは、印画紙等にプリントした写真ｋや紙または合成樹脂製フィルムに描かれた絵などを言う。また、使用する写真は、人物を特定するものだけでなく、好きな動物や花などの写真ｋでも構わない。さらには、目で見ても楽しめる趣向を凝らした絵なども使用することが可能である。
【００３１】
次いで、図５に示すように、蓋部材３の裏蓋６のフランジ６ａの内側の大きさに合わせて、写真（写真等）ｋを切り揃える。そして、写真の画像面が蓋体５の開口部５ａ側に向けて、この画像面に透明シート７を覆って、蓋体５に裏蓋６を嵌合させる。この際に、蓋体５のフランジ５ｂの内周壁に、裏蓋６のフランジ６ａの外周壁が嵌め合わされ、蓋体５に裏蓋６が固着される。
【００３２】
そして、図６に示すように、蓋部材３をヒンジ部１０に止着されているバネ部材１１の付勢に抗し、容器本体２の取出口４に被せ、開閉部材９によりロックする。このように、蓋体５の開口部５ａから写真ｋを表示することにより、容器本体２に収納されている包装体ｔに封入されている湿式シートｍの使用者を特定することができ、文字の読めない幼子であっても、認識することができる。
【００３３】
また、容器本体２に収納されている包装体ｔを交換する際には、容器本体２の底面に長着脱自在に設けられた底蓋８を外して交換を行う。この際に、使用する乳幼児や子供に適した湿式シートが封入された包装体ｔに交換した場合には、開閉部材９のロックを外して蓋部材３を開き、裏蓋６を外して中の写真を交換する。
【００３４】
そして、フォトフレーム機能付き収納容器１を使用するには、図７に示すように、開閉部材９のロックを解除する。すると、ヒンジ部１０に設けられたバネ部材１１の付勢により、蓋部材３が開く。そして、取出口４から湿式シートｍを一枚一枚取り出して使用する。使用後は、蓋部材３をバネ部材１１の付勢に抗して、取出口４の上面に被せ、開閉部材９によりロックする。
【００３５】
また、図４に示す上記一実施形態の変形例においては、装飾ｒと共に一体の装飾を形成する開口部５ａの形状に合わせて写真ｋまたは絵などを準備し、蓋体５と裏蓋６との間に介装し、開口部５ａから表示する。
【００３６】
上述の実施形態によるフォトフレーム機能付き収納容器１によれば、容器本体２に開閉自在に設けられた蓋部材３は、少なくとも１つ以上の開口部５ａが穿設された蓋体５と、容器本体２の取出口４側に、開口部５ａを覆って蓋体５に着脱自在に設けられた裏蓋６とを備え、この蓋体５と裏蓋６との間に写真ｋを介装させて、開口部５ａから写真ｋを表示するため、湿式シートｍを利用する乳幼児や子供を簡単に特定することができる。これにより、保育所や幼稚園など乳幼児や子供が多くいる場所で使用する際に、皮膚に疾患やアレルギーを患っている子供等がいた場合でも、開口部５ａに表示する写真により使用者を特定して、間違えって他の湿式シート使用することによるトラブルを回避し、適切に使用することができる。
【００３７】
また、裏蓋６を着脱することにより、簡単に写真を交換することができるため、使用者を特定するだけでなく、人の集まる場所などで使用する場合に、愛犬の写真ｋや目印になる絵などを表示することにより、間違って他人のものを使うことによるトラブルや、自分のものを使われてしまう不愉快な思いを低減させることができるとともに、写真ｋや絵などを表示することにより、他者とのコミュニケーションを図ることもできる。
【００３８】
そして、蓋体５と裏蓋６との間に、写真ｋの表面を覆う透明シート７を介装するため、蓋部材３の開閉により付着する手垢や、室内などに浮遊する埃などから、写真ｋを保護することができる。これにより、同じ写真ｋを長期間表示することができるとともに、大切な写真であっても使用することができる。
【００３９】
さらに、蓋体５は、外表面にうさぎなどの装飾ｒを施すとともに、この装飾ｒと共に一体の装飾を形成するように開口部５ａを配設するため、動物やキャラクターなどの図柄と共に写真ｋを表示することによって、親しみ易く乳幼児や子供の興味を駆り立てるともに、愛着が沸いて長く使用することができる。
【００４０】
なお、上記実施の形態において、蓋体５に穿設された開口部５ａを１つとした場合のみ説明したが、これに限定されるものでなく、例えば、開口部５ａを２つまたは３つ穿設しても対応可能である。また、開口部５ａの形状を平面視において、楕円形とした場合のみ説明したが、これに限定されるものでなく、例えば正方形や長方形または動物や植物の形に穿設しても対応可能である。
【産業上の利用可能性】
【００４１】
湿式シートを封入した包装体に利用することができる。
【符号の説明】
【００４２】
１  フォトフレーム機能付き収納容器（収納容器）
２  容器本体
３  蓋部材
４  取出口
５  蓋体
５ａ  開口部
６  裏蓋
７  透明シート
８  底蓋
９  開閉部材
１０  ヒンジ部
１１  スプリング
ｔ  包装体
ｍ  湿式シート
ｋ  写真（写真等）
【図１】
0003160684.tif 000003
【図２】
0003160684.tif 000004
【図３】
0003160684.tif 000005
【図４】
0003160684.tif 000006
【図５】
0003160684.tif 000007
【図６】
0003160684.tif 000008
【図７】
0003160684.tif 000009
【図８】
0003160684.tif 000010